(57)【要約】      （修正有）【課題】複数の情報を表示できる小型な表示機構、ムーブメントおよび時計を提供する。【解決手段】表示機構４０は、月の満ち欠けを表示するムーンフェイズ表示部Ｍと、ムーンフェイズ表示部Ｍの回転に対応して時に関する情報を表示する情報表示部Ｆと、ムーンフェイズ表示部Ｍを回転させる遊星機構３０と、を備える。遊星機構３０は、表示車４１と、表示車４１よりも遅い速度で回転する遊星ディスクユニット５０と、を備える。遊星ディスクユニット５０は、遊星ディスク５６と、第一遊星車５１と、第二遊星車５２と、第三遊星車と、を有する。ムーンフェイズ表示部Ｍは、開口部内の領域に設けられ、月の満ち欠けは、表示車４１と、開口部を通じて視認される遊星ディスクユニット５０との回転速度差により表示され、時に関する情報は、開口部以外の領域に表示される。【選択図】図２
2016176713.tif 000002
【特許請求の範囲】
【請求項１】
所定軸周りに回転可能に設けられ、月の満ち欠けを表示するムーンフェイズ表示部と、
前記ムーンフェイズ表示部の回転に対応して時に関する情報を表示する情報表示部と、
前記ムーンフェイズ表示部を回転させる遊星機構と、
を備え、
前記遊星機構は、
所定速度で前記所定軸周りに回転する表示車と、
前記表示車よりも小径に形成され、前記所定軸の軸方向の一方側において、前記所定  軸と同軸となるように配置された太陽車と、
を有し、
前記ムーンフェイズ表示部は、前記表示車の外縁よりも内側に配置されていることを特徴とする表示機構。
【請求項２】
前記遊星機構は、
前記表示車とは異なる速度で前記所定軸周りに回転する遊星ディスクユニットを備え、
前記遊星ディスクユニットは、
前記所定軸周りに回転する遊星ディスクと、
前記遊星ディスクに回転可能に支持され、前記表示車と噛合するとともに、前記所定  軸周りに公転する第一遊星車と、
前記遊星ディスクに回転可能に支持され、前記第一遊星車と噛合するとともに、前記  所定軸周りに公転する第二遊星車と、
前記遊星ディスクに回転可能に支持され、前記太陽車と噛合するとともに、前記第二  遊星車と同軸となるように連結されて前記所定軸周りに公転する第三遊星車と、
を有し、
前記ムーンフェイズ表示部は、前記表示車に形成された開口部内の領域に設けられ、
前記月の満ち欠けは、前記表示車と、前記開口部を通じて視認される前記遊星ディスクユニットとの回転速度差により表示され、
前記時に関する情報は、前記表示車の回転に対応して前記開口部以外の領域に表示されることを特徴とする請求項１に記載の表示機構。
【請求項３】
前記情報表示部は、前記時に関する情報として日の出および日の入りの情報を表示することを特徴とする請求項１または２に記載の表示機構。
【請求項４】
前記情報表示部は、前記時に関する情報として月の出および月の入りの情報を表示することを特徴とする請求項１または２に記載の表示機構。
【請求項５】
前記情報表示部は、前記時に関する情報として時刻の情報を表示することを特徴とする請求項１または２に記載の表示機構。
【請求項６】
前記情報表示部は、前記時に関する情報として潮汐の情報を表示することを特徴とする請求項１または２に記載の表示機構。
【請求項７】
前記情報表示部は、前記時に関する情報として曜日の情報を表示することを特徴とする請求項１または２に記載の表示機構。
【請求項８】
請求項１から７のいずれか１項に記載の表示機構を備えたことを特徴とするムーブメント。
【請求項９】
請求項８に記載のムーブメントを備えたことを特徴とする時計。
【発明の詳細な説明】
【技術分野】
【０００１】
この発明は、表示機構、ムーブメントおよび時計に関する。
【背景技術】
【０００２】
腕時計等の時計は、時刻を表示する機能に加えて、時刻以外の情報を表示する機能も有している場合がある。例えば、時刻の表示機能以外に、例えば月の満ち欠けを表示する、いわゆるムーンフェイズ表示機能を備えた時計が知られている。
【０００３】
例えば特許文献１には、月の位置と、月齢（月の満ち欠け）と、潮の干満の状態とを表示する表示機構を備えた時計が記載されている。月の満ち欠けは、月車に取り付けられた月板と、影車に取り付けられた影板とにより表示される。
【先行技術文献】
【特許文献】
【０００４】
【特許文献１】特開昭６２−２６３４９０号公報
【発明の概要】
【発明が解決しようとする課題】
【０００５】
しかしながら、従来技術の表示機構にあっては、月車および影車を回転させるための輪列がムーブメントの地板上に並んで配置されており、輪列を配置するためのスペースを広く確保する必要がある。したがって、複数の情報を表示する表示機構を小型化するという点で改善の余地があった。
【０００６】
そこで、本発明は、上記事情に鑑みたものであって、複数の情報を表示できる小型な表示機構、ムーブメントおよび時計の提供を課題とする。
【課題を解決するための手段】
【０００７】
上記の課題を解決するため、本発明の表示機構は、所定軸周りに回転可能に設けられ、月の満ち欠けを表示するムーンフェイズ表示部と、前記ムーンフェイズ表示部の回転に対応して時に関する情報を表示する情報表示部と、前記ムーンフェイズ表示部を回転させる遊星機構と、を備え、前記遊星機構は、所定速度で前記所定軸周りに回転する表示車と、前記表示車よりも小径に形成され、前記所定軸の軸方向の一方側において、前記所定軸と同軸となるように配置された太陽車と、を有し、前記ムーンフェイズ表示部は、前記表示車の外縁よりも内側に配置されていることを特徴としている。
【０００８】
本発明によれば、ムーンフェイズ表示部を回転させる遊星機構を備え、遊星機構は、表示車よりも小径に形成された太陽車を有しているので、太陽車の設置範囲内に複数の遊星車を設け、表示機構の小型化ができる。また、ムーンフェイズ表示部は、表示車の外縁よりも内側に配置されているので、表示機構を大型化することなくムーンフェイズ表示部を設けることができる。このように、遊星機構を備えることにより、複数の歯車を地板上に並べて配置した従来技術と比較して、歯車の設置スペースを小さくしつつ、月の満ち欠けを表示するムーンフェイズ表示部と、時に関する情報を表示する情報表示部と、を設けることができる。したがって、複数の情報を表示できる小型な表示機構とすることができる。
【０００９】
また、前記遊星機構は、前記表示車とは異なる速度で前記所定軸周りに回転する遊星ディスクユニットを備え、前記遊星ディスクユニットは、前記所定軸周りに回転する遊星ディスクと、前記遊星ディスクに回転可能に支持され、前記表示車と噛合するとともに、前記所定軸周りに公転する第一遊星車と、前記遊星ディスクに回転可能に支持され、前記第一遊星車と噛合するとともに、前記所定軸周りに公転する第二遊星車と、前記遊星ディスクに回転可能に支持され、前記太陽車と噛合するとともに、前記第二遊星車と同軸となるように連結されて前記所定軸周りに公転する第三遊星車と、を有し、前記ムーンフェイズ表示部は、前記表示車に形成された開口部内の領域に設けられ、前記月の満ち欠けは、前記表示車と、前記開口部を通じて視認される前記遊星ディスクユニットとの回転速度差により表示され、前記時に関する情報は、前記表示車の回転に対応して前記開口部以外の領域に表示されることを特徴としている。
【００１０】
本発明によれば、表示車とは異なる速度で所定軸周りに回転する遊星ディスクユニットと、を備え、月の満ち欠けは、表示車と、表示車の開口部を通じて視認される遊星ディスクユニットとの回転速度差により表示されるので、月の満ち欠けを表示できる小型な表示機構とすることができる。
また、遊星機構を構成する各遊星車を月または月以外の部分として、ムーンフェイズ表示部に表示することができる。また、一の遊星車を月として表示させたときには、遊星機構を構成する各遊星車の歯数比を調整することで一の遊星車の大きさ、すなわちムーンフェイズ表示部に対する月の大きさを所望に設定できる。さらに、表示車の歯数比を調整するだけで、表示車の回転速度を所望に設定できるので、時に関する情報として種々の情報を表示できる。
したがって、複数の情報を表示できる小型な表示機構とすることができる。
【００１１】
また、前記情報表示部は、前記時に関する情報として日の出および日の入りの情報を表示してもよい。
また、前記情報表示部は、前記時に関する情報として月の出および月の入りの情報を表示してもよい。
また、前記情報表示部は、前記時に関する情報として時刻の情報を表示してもよい。
また、前記情報表示部は、前記時に関する情報として潮汐の情報を表示してもよい。
また、前記情報表示部は、前記時に関する情報として曜日の情報を表示してもよい。
【００１２】
本発明によれば、時に関する情報として種々の情報を表示することができるので、情報に優れた小型な表示機構とすることができる。
【００１３】
また、本発明のムーブメントは、上述のいずれか一つの表示機構を備えたことを特徴としている。
また、本発明の時計は、上述のムーブメントを備えたことを特徴としている。
【００１４】
本発明によれば、複数の情報を表示できる小型な表示機構を備えているので、斬新かつ小型なムーブメントおよび時計とすることができる。
【発明の効果】
【００１５】
本発明によれば、ムーンフェイズ表示部を回転させる遊星機構を備えているので、太陽車の設置範囲内に複数の遊星車を設けることができる。このように、遊星機構を備えることにより、複数の歯車を地板上に並べて配置した従来技術と比較して、歯車の設置スペースを小さくしつつ、月の満ち欠けを表示するムーンフェイズ表示部と、時に関する情報を表示する情報表示部と、を設けることができる。したがって、複数の情報を表示できる小型な表示機構とすることができる。
【図面の簡単な説明】
【００１６】
【図１】実施形態に係る時計の外観図である。
【図２】裏側から見たときのムーブメントの平面図である。
【図３】図２のＩＩＩ−ＩＩＩ線に沿った断面図である。
【図４】表示車の平面図である。
【図５】遊星ディスクユニットの平面図である。
【図６】月齢０日の０時における情報表示部の説明図である。
【図７】月齢０日の６時における情報表示部の説明図である。
【図８】月齢０日の１２時における情報表示部の説明図である。
【図９】月齢０日の１８時における情報表示部の説明図である。
【図１０】月齢０日の０時におけるムーンフェイズ表示部の説明図である。
【図１１】月齢７日の０時におけるムーンフェイズ表示部の説明図である。
【図１２】月齢１４日の０時におけるムーンフェイズ表示部の説明図である。
【図１３】月齢２１日の０時におけるムーンフェイズ表示部の説明図である。
【図１４】実施形態の第一変形例に係る時計の外観図である。
【図１５】実施形態の第一変形例に係る表示車の平面図である。
【図１６】実施形態の第一変形例に係る遊星ディスクユニットの平面図である。
【図１７】月齢１４日の０時における情報表示部の説明図である。
【図１８】月齢１４日の６時における情報表示部の説明図である。
【図１９】月齢１４日の１２時における情報表示部の説明図である。
【図２０】月齢１４日の１８時における情報表示部の説明図である。
【図２１】月齢０日の０時におけるムーンフェイズ表示部の説明図である。
【図２２】月齢７日の０時におけるムーンフェイズ表示部の説明図である。
【図２３】月齢１４日の０時におけるムーンフェイズ表示部の説明図である。
【図２４】月齢２１日の０時におけるムーンフェイズ表示部の説明図である。
【図２５】実施形態の第二変形例に係る表示機構の説明図である。
【図２６】実施形態の第三変形例に係る表示機構の説明図である。
【図２７】実施形態の第四変形例に係る表示機構の説明図である。
【図２８】実施形態の第五変形例に係る表示機構の説明図である。
【発明を実施するための形態】
【００１７】
以下、本発明に係る実施形態について、図面を参照して説明する。
以下では、まず実施形態に係る機械式の時計について説明したあと、この時計に組み込まれたムーブメントおよび表示機構の詳細について説明する。
【００１８】
（時計）
一般に、時計の駆動部分を含む機械体を「ムーブメント」と称する。このムーブメントに文字板、針を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００１９】
図１は、実施形態に係る時計の外観図である。
図１に示すように、本実施形態の時計１は、例えば腕時計である。時計１は、不図示のケース蓋およびカバーガラス２を有する時計ケース３内に、ムーブメント１０や、時刻に関する情報を示す目盛り等を有する文字板４、各種指針（時針５、分針６および秒針７）等が組み込まれて構成されている。
【００２０】
文字板４には、表示領域Ｒが設けられている。表示領域Ｒは、時針５、分針６および秒針７の回転中心となる中心軸Ｏに対して１２時側の部分に設けられている。表示領域Ｒには、月の満ち欠けを表示するムーンフェイズ表示部Ｍと、日の出および日の入りの情報を表示する情報表示部Ｆと、が設けられている。なお、ムーンフェイズ表示部Ｍおよび情報表示部Ｆの詳細については後述する。本実施形態において、表示領域Ｒは、文字板４に形成され、円弧部８ａと直線部８ｂとを有する平面視半円形状の文字板開口８の領域とされる。
【００２１】
図２は、裏側から見たときのムーブメントの平面図であり、図３は、図２のＩＩＩ−ＩＩＩ線に沿った断面図である。なお、図２においては、文字板開口８を二点鎖線で図示している。また、図３においては、文字板４を二点鎖線で図示している。
図２に示すように、ムーブメント１０は、ムーブメント１０の基板を構成する地板１１を有している。
【００２２】
図２に示すように、地板１１の図示しない巻真案内穴には、巻真１２が回転可能に組み込まれている。巻真１２は、例えば、日付の修正や、時刻表示（時および分の表示）を修正する際に用いられる。
巻真１２は、巻真案内穴によって回転可能に支持されているとともに、巻真１２の延在方向に例えば２段階に引き出し操作可能とされている。この際、巻真１２は、地板１１の表側に配置された、おしどり、かんぬきやかんぬきばね等により、延在方向の位置が決められている。
巻真１２の一端部には、時計ケース３（図１参照）の側方に位置するりゅうず１３（図１参照）が取付けられている。また、巻真１２の他端部には、日の裏車１４が設けられている。日の裏車１４は、巻真１２を引き出した状態で回転させたときに、不図示のつづみ車等を介して回転する。そして、日の裏車１４が回転することにより、後述の筒車１７が回転する。使用者は、巻真１２を引き出した状態でりゅうず１３を回転させることにより、時計１の時刻合わせが可能とされる。
【００２３】
図３に示すように、地板１１の表側の面には、てんぷやがんぎ車、アンクル等を含む図示しない脱進・調速機構と、四番車、三番車、二番車および香箱車を含む図示しない表輪列が設けられている。また、地板１１の裏側（文字板４側）の面には、筒車１７および中間車１８を含む裏輪列と、表示機構４０と、文字板４と、が少なくとも配置されている。
【００２４】
筒車１７は、中心軸Ｏ周りに１２時間で１回転する。筒車１７の筒部１７ａには、時針５（図１参照）が取り付けられる。四番車の軸部には、秒針７（図１参照）が取り付けられる。二番車の軸部には、分針６（図１参照）が取り付けられる。
中間車１８は、筒車１７と噛合する第一歯部１８ａと、後述する表示車４１と噛合する第二歯部１８ｂと、を有している。中間車１８は、筒車１７の回転速度を減速しつつ、筒車１７の駆動力を表示車４１に伝達している。
【００２５】
（表示機構）
表示機構４０は、表示車４１と、太陽車４６と、遊星ディスクユニット５０と、を有する遊星機構３０を備えている。
表示車４１は、表示ディスク部４２と、内歯部４１ａと、外歯部４１ｂと、軸部４３と、を有している。
【００２６】
図４は、表示車４１の平面図である。
図４に示すように、表示ディスク部４２は、平面視で円形状に形成された板状部材である。
表示ディスク部４２の中心よりも径方向の一方側には、開口部４４が設けられている。本実施形態の開口部４４は、表示ディスク部４２の半径よりも小さい直径を有する円形状に形成されている。表示車４１に形成された開口部４４内の領域は、月の満ち欠けを表示する後述のムーンフェイズ表示部Ｍとなっている。
【００２７】
表示ディスク部４２の中心を挟んで開口部４４の反対側には、太陽デザイン部４５が設けられている。太陽デザイン部４５は、模式的に太陽を表した図柄となっている。太陽デザイン部４５は、例えば表示ディスク部４２に対して塗装を施すことにより形成される。表示車４１の裏側の主面は、日の出および日の入りを表示する情報表示部Ｆとなっている。
【００２８】
図３に示すように、内歯部４１ａは、表示ディスク部４２の表側において、表示ディスク部４２の周縁部に沿うように、全周にわたってリング状に形成されている。内歯部４１ａは、内周面に歯が形成されており、後述の遊星ディスクユニット５０の第一遊星車５１と噛合する。
外歯部４１ｂは、内歯部４１ａの表側において、内歯部４１ａに重なるように全周にわたってリング状に形成されている。外歯部４１ｂは、外周面に歯が形成されており、中間車１８の第二歯部１８ｂと噛合する。
【００２９】
上述のように構成された表示車４１には、筒車１７および中間車１８によって、回転速度が減速された状態で筒車１７の駆動力が伝達される。これにより、表示車４１は、図２に示すように、裏側（文字板４側）から見たとき、所定軸Ｃを中心とする時計回り方向（以下、「ＣＷ方向」という。）に２４時間で１回転の回転速度で回転する。
【００３０】
図３に示すように、表示ディスク部４２の中心には、軸部４３が立設されている。軸部４３は、一端が文字板４に対して回転可能に支持され、他端が地板１１に設けられた穴石１９に対して回転可能に支持される。これにより、表示車４１は、表示ディスク部４２、内歯部４１ａおよび外歯部４１ｂが地板１１よりも裏側に配置された状態で、文字板４と地板１１とにより所定軸Ｃ周りに回転可能に支持される。
【００３１】
表示車４１は、所定軸Ｃ周りにＣＷ方向に回転することにより、表示領域Ｒ（図１参照）において、月の満ち欠けが表示される開口部４４と、太陽を表した太陽デザイン部４５とが、それぞれ文字板４の文字板開口８から出現したり、文字板４の背面に隠れたりする。このとき、表示領域Ｒでは、文字板開口８の直線部８ｂを地平線と見立てることにより、太陽を表した太陽デザイン部４５について日の出および日の入りが表現される。すなわち、情報表示部Ｆは、表示車４１が２４時間でＣＷ方向に１回転することにより、時に関する情報として、日の出および日の入りの情報を模式的に表示している。
【００３２】
太陽車４６は、リング状に形成されている。太陽車４６は、表示車４１と同軸となるように（すなわち太陽車４６の中心軸と所定軸Ｃとが一致するように）配置されている。太陽車４６は、地板１１の裏側において、地板１１に対して回転不能となるように固定されている。太陽車４６の外径は、例えば表示車４１の表示ディスク部よりも小さくなっている。
太陽車４６の内周面には、内歯４６ａが形成されている。太陽車４６の内歯４６ａは、後述の遊星ディスクユニット５０の第三遊星車５３と噛合する。
【００３３】
遊星ディスクユニット５０は、遊星ディスク５６と、第一遊星車５１と、第二遊星車５２と、第三遊星車５３と、を有している。
遊星ディスク５６は、平面視で円形状に形成された板状部材である。遊星ディスク５６の外径は、例えば表示車４１の表示ディスク部よりも小さく、太陽車４６の外径と略同一となっている。
遊星ディスク５６は、中心に貫通孔５６ａを有している。遊星ディスク５６の貫通孔５６ａには、表示車４１の軸部４３が遊挿される。これにより、遊星ディスク５６は、中心軸が所定軸Ｃと同軸となるように配置される。また、遊星ディスク５６は、表示車４１と異なる回転速度で所定軸Ｃ周りに回転可能とされる。
【００３４】
第一遊星車５１は、遊星ディスク５６よりも裏側（文字板４側）に配置されている。第一遊星車５１は、軸部材５１ｂによって、遊星ディスク５６に取り付けられる。第一遊星車５１は、遊星ディスク５６に対して、第一遊星軸Ｑ１周りに回転可能に支持される。第一遊星車５１の外周面には、歯部５１ａが形成されている。第一遊星車５１の歯部５１ａは、表示車４１の内歯部４１ａと噛合している。本実施形態において、第一遊星車５１は、所定軸Ｃ周りに１８０°ピッチで２個設けられている。
【００３５】
第二遊星車５２は、遊星ディスク５６よりも裏側（文字板４側）に配置されている。第二遊星車５２は、軸部材５２ｂによって、遊星ディスク５６に取り付けられる。第二遊星車５２は、遊星ディスク５６に対して、第一遊星軸Ｑ１よりも径方向の内側に位置する第二遊星軸Ｑ２周りに回転可能に支持される。第二遊星車５２の外周面には、歯部５２ａが形成されている。第二遊星車５２の歯部５２ａは、第一遊星車５１の歯部５１ａと噛合している。本実施形態において、第二遊星車５２は、第一遊星車５１と同様に、所定軸Ｃ周りに１８０°ピッチで２個設けられている。
【００３６】
第三遊星車５３は、遊星ディスク５６よりも表側（地板１１側）に配置されている。第三遊星車５３は、軸部材５２ｂによって、第二遊星車５２と同軸となるように遊星ディスク５６に取り付けられる。第三遊星車５３は、軸部材５２ｂを介して第二遊星車５２と連結されており、第二遊星車５２と同期して回転する。第三遊星車５３の外周面には、歯部５３ａが形成されている。第三遊星車５３の歯部５３ａは、太陽車４６の内歯４６ａと噛合している。
【００３７】
図５は、裏側から見たときの遊星ディスクユニットの平面図である。
遊星ディスクユニット５０の裏側面は、表示車４１の開口部４４（図４参照）を通じて、ムーンフェイズ表示部Ｍとして使用者により視認可能となっている。
図５に示すように、遊星ディスクユニット５０の裏側面には、月が太陽により照らされて輝く部分（以下、「輝部」という。）と、月の位置によって、太陽の光が届かない部分（以下、「影部」という。）とを表すために、例えば塗装が施されている。本実施形態においては、第一遊星車５１の裏側面には、月の影部５０ａとして例えば黒色の塗装が施されている（図５において、斜線ハッチングで図示）。また、遊星ディスクユニット５０の裏側面のうち、第一遊星車５１以外の領域であって、遊星ディスク５６および第二遊星車５２の裏側面には、月の輝部５０ｂとして例えば黄色の塗装が施されている（図５において、ドットハッチングで図示）。
【００３８】
遊星機構３０は、以下のように動作する。
図２および図３に示すように、中心軸Ｏ周りにＣＷ方向に回転する筒車１７の駆動力は、中間車１８を介して表示車４１に伝達される。これにより、表示車４１は、所定軸Ｃ周りにＣＷ方向に回転する。
次いで、表示車４１に伝達された駆動力は、表示車４１の内歯部４１ａと噛合する第一遊星車５１に伝達される。これにより、第一遊星車５１は、第一遊星軸Ｑ１周りにＣＷ方向に回転する。
【００３９】
次いで、第一遊星車５１に伝達された駆動力は、第一遊星車５１と噛合する第二遊星車５２と、第二遊星車５２に連結された第三遊星車５３と、に伝達される。これにより、第二遊星車５２および第三遊星車５３は、裏側（すなわち文字板４側）から見たとき、第二遊星軸Ｑ２周りに反時計回り方向（以下、「ＣＣＷ方向」という。）に回転する。
【００４０】
このとき、第三遊星車５３は、地板１１に対して回転不能となるように固定された太陽車４６と噛合している。したがって、第二遊星車５２および第三遊星車５３は、第三遊星車５３に伝達された駆動力により、第二遊星軸Ｑ２周りにＣＣＷ方向に回転（自転）するとともに、所定軸Ｃ周りにＣＷ方向に公転する。また、第三遊星車５３を支持する遊星ディスク５６は、所定軸Ｃ周りにＣＷ方向に回転する。また、遊星ディスク５６に支持される第一遊星車５１は、第一遊星軸Ｑ１周りにＣＷ方向に回転（自転）するとともに、所定軸Ｃ周りにＣＷ方向に公転する。このように、表示車４１および遊星ディスクユニット５０は、筒車１７から伝達された駆動力により、所定軸Ｃ周りにＣＷ方向に回転することができる。
【００４１】
ここで、表示車４１の内歯部４１ａ、第一遊星車５１の歯部５１ａ、第二遊星車５２の歯部５２ａ、第三遊星車５３の歯部５３ａおよび太陽車４６の内歯４６ａの各車の歯数比は、表示車４１の回転速度をＮａとし、遊星ディスクユニット５０の回転速度をＮｂとし、月の影部５０ａの数をｎ（ｎは、１以上の整数）とし、月の満ち欠けの周期（日）をＴとしたとき、
Ｎａ：Ｎｂ＝１：１−１／ｎＴ・・・（１）
の関係を満足するように設定される。
【００４２】
本実施形態においては、表示車４１の回転速度Ｎａは、２４時間で１回転となっている。また、月の影部５０ａの数ｎ＝２となっている。また、月齢とは、新月から次の新月になるまでの経過時間を日単位として表したものをいい、月の満ち欠けの周期Ｔは、一般にＴ≒２９．５３日となっている。
（１）式を満足することにより、表示車４１が２４時間で１回転するのに対して、遊星ディスクユニット５０が１日で１−１／ｎＴ≒０．９８３回転する。換言すれば、遊星ディスクユニット５０は、表示車４１よりも１日当たり約０．０１７回転だけ遅い速度で所定軸Ｃ周りに回転する。
【００４３】
上述のように構成された表示機構４０は、次のように情報表示部Ｆおよびムーンフェイズ表示部Ｍの表示を行う。なお、以下では、情報表示部Ｆについて説明を行った後、ムーンフェイズ表示部Ｍの説明を行う。
まず、情報表示部Ｆについて説明する。以下では、分かりやすくするために、月齢０日において時間が経過したときの情報表示部Ｆについて説明する。
図６は、月齢０日の０時における情報表示部の説明図であり、図７は、月齢０日の６時における情報表示部の説明図であり、図８は、月齢０日の１２時における情報表示部の説明図であり、図９は、月齢０日の１８時における情報表示部の説明図である。
図６に示すように、月齢０日の０時において、情報表示部Ｆのうち表示車４１の開口部４４は、文字板開口８から露出している。なお、開口部４４内は、後述のムーンフェイズ表示部Ｍとなっている。
【００４４】
また、月齢０日の０時において、月の影部５０ａを表す第一遊星車５１は、表示車４１の開口部４４から露出している。また、太陽デザイン部４５は、文字板４の背面に隠れている。これにより、表示領域Ｒにおいて、情報表示部Ｆは、深夜であることを表示することができる。
なお、遊星ディスクユニット５０は、表示車４１よりも１日当たり約０．０１７回転だけ遅い速度で回転する。このため、月の影部５０ａを表す第一遊星車５１は、時間の経過にともない、表示車４１の開口部４４内でわずかに移動するが、０時から２４時までの２４時間単位では見かけ上はほぼ変化がない。したがって、以下では、月齢０日の０時から２４時までの間において、月の影部５０ａを表す第一遊星車５１は、全体が表示車４１の開口部４４から露出しているとみなして説明する。
【００４５】
次いで、時間の経過にともない、表示車４１および遊星ディスクユニット５０は、ＣＷ方向に回転する。これにより、情報表示部Ｆのうち表示車４１の開口部４４は、時間の経過とともに漸次文字板４の背面に隠れる。また、文字板４の背面に隠れていた太陽デザイン部４５は、時間の経過とともに文字板開口８から漸次露出する。
そして、図７に示すように、月齢０日の６時において、表示車４１の開口部４４は、半分の領域が文字板開口８から露出するとともに、残り半分の領域が文字板４の背面に隠れる。また、太陽デザイン部４５は、大部分の領域が文字板開口８から露出する。これにより、表示領域Ｒにおいて、情報表示部Ｆは、日の出を表示することができる。
【００４６】
次いで、時間の経過にともない、表示車４１および遊星ディスクユニット５０は、ＣＷ方向にさらに回転する。これにより、図８に示すように、月齢０日の１２時において、表示車４１の開口部４４は、全体が文字板４の背面に隠れる。また、太陽デザイン部４５は、全体が文字板開口８から露出する。これにより、表示領域Ｒにおいて、情報表示部Ｆは、日中であることを表示することができる。
なお、上述した実施形態においては、太陽デザイン部４５の大部分の領域を文字板開口８から露出させることによって日の出の状態を表示するようになっているが、これに限定されず、太陽デザイン部４５の一部分の領域を文字板開口８から露出させることによって日の出の状態を表示するようにしてもよいし、太陽デザイン部４５をまったく露出させないで日の出の状態を表示するようにしてもよい。
【００４７】
次いで、時間の経過にともない、表示車４１および遊星ディスクユニット５０は、ＣＷ方向にさらに回転する。これにより、情報表示部Ｆのうち太陽デザイン部４５は、時間の経過とともに漸次文字板４の背面に隠れる。また、文字板４の背面に隠れていた表示車４１の開口部４４は、時間の経過とともに文字板開口８から漸次露出する。
そして、図９に示すように、月齢０日の１８時において、表示車４１の開口部４４は、半分の領域が文字板４の背面に隠れるとともに、残り半分の領域が文字板開口８から露出する。また、太陽デザイン部４５は、大部分の領域が文字板開口８の背面に隠れる。これにより、表示領域Ｒにおいて、情報表示部Ｆは、日の入りを表示することができる。
このように、表示領域Ｒにおいて、情報表示部Ｆは、内側がムーンフェイズ表示部Ｍとなる開口部４４の回転に対応して、時に関する情報である日の出と日の入りの情報を表示することができる。
【００４８】
次いで、ムーンフェイズ表示部Ｍについて説明する。以下では、分かりやすくするために、時刻０時において月齢が経過したときのムーンフェイズ表示部Ｍについて説明する。なお、同時刻において、表示車４１の開口部４４の位置は、月齢に関わらず同じ位置となる。すなわち、時刻０時において、表示車４１の開口部４４は、月齢に関わらず全体が文字板開口８から露出した状態となっている。
【００４９】
図１０は、月齢０日の０時におけるムーンフェイズ表示部の説明図であり、図１１は、月齢７日の０時におけるムーンフェイズ表示部の説明図であり、図１２は、月齢１４日の０時におけるムーンフェイズ表示部の説明図であり、図１３は、月齢２１日の０時におけるムーンフェイズ表示部の説明図である。
図１０に示すように、月齢０日の０時において、周方向における開口部４４の位置と月の影部５０ａを表す第一遊星車５１の位置とが一致している。開口部４４内のムーンフェイズ表示部Ｍからは、月の影部５０ａを表す第一遊星車５１が露出している。これにより、表示領域Ｒにおいて、ムーンフェイズ表示部Ｍは、月が全く視認できないいわゆる新月の状態を表示することができる。
【００５０】
次いで、月齢の経過にともない、表示車４１および遊星ディスクユニット５０は、ＣＷ方向に回転する。ここで、遊星ディスクユニット５０は、表示車４１よりも１日当たり約０．０１７回転だけ遅い速度で回転する。このため、月の影部５０ａを表す第一遊星車５１は、表示車４１に対する遊星ディスクユニット５０の回転の遅れにより、月齢の経過にともなって開口部４４との位置ずれ量が大きくなる。
そして、図１１に示すように、月齢７日の０時において、月の影部５０ａを表す第一遊星車５１は、表示車４１に対する遊星ディスクユニット５０の回転の遅れにより、開口部４４に対してＣＣＷ方向に所定角度だけずれた位置に配置される。このとき、開口部４４内のムーンフェイズ表示部Ｍからは、月の影部５０ａを表す第一遊星車５１と、月の輝部５０ｂを表す遊星ディスク５６および第二遊星車５２とがそれぞれ露出する。これにより、表示領域Ｒにおいて、ムーンフェイズ表示部Ｍは、月の左側の一部が欠けた状態を表示することができる。
【００５１】
次いで、月齢の経過にともない、表示車４１および遊星ディスクユニット５０は、ＣＷ方向にさらに回転する。
そして、図１２に示すように、月齢１４日の０時において、月の影部５０ａを表す第一遊星車５１は、表示車４１に対する遊星ディスクユニット５０の回転の遅れにより、開口部４４に対してＣＣＷ方向に所定角度だけさらにずれた位置に配置される。このとき、月の影部５０ａを表す第一遊星車５１は、文字板４の背面に隠れる。また、開口部４４内のムーンフェイズ表示部Ｍからは、月の輝部５０ｂを表す遊星ディスク５６および第二遊星車５２が露出する。これにより、表示領域Ｒにおいて、ムーンフェイズ表示部Ｍは、月全体が輝くいわゆる満月の状態を表示することができる。
【００５２】
次いで、月齢の経過にともない、表示車４１および遊星ディスクユニット５０は、ＣＷ方向にさらに回転する。
そして、図１３に示すように、月齢２１日の０時において、月の影部５０ａを表す第一遊星車５１は、表示車４１に対する遊星ディスクユニット５０の回転の遅れにより、開口部４４に対してＣＣＷ方向に所定角度だけさらにずれた位置に配置される。このとき、開口部４４内のムーンフェイズ表示部Ｍからは、月の影部５０ａを表す第一遊星車５１と、月の輝部５０ｂを表す遊星ディスク５６とがそれぞれ露出する。これにより、表示領域Ｒにおいて、ムーンフェイズ表示部Ｍは、月の右側の一部が欠けた状態を表示することができる。
【００５３】
本実施形態によれば、ムーンフェイズ表示部Ｍを回転させる遊星機構３０を備え、遊星機構３０は、表示車４１よりも小径に形成された太陽車４６を有しているので、太陽車４６の設置範囲内に第一遊星車５１、第二遊星車５２および第三遊星車５３を設け、表示機構４０の小型化ができる。また、ムーンフェイズ表示部Ｍは、表示車４１の外縁よりも内側に配置されているので、表示機構４０を大型化することなくムーンフェイズ表示部Ｍを設けることができる。このように、遊星機構３０を備えることにより、複数の歯車を地板上に並べて配置した従来技術と比較して、歯車の設置スペースを小さくしつつ、月の満ち欠けを表示するムーンフェイズ表示部Ｍと、時に関する情報として日の出および日の入りの情報を表示する情報表示部Ｆと、を設けることができる。したがって、複数の情報を表示できる小型な表示機構４０とすることができる。
【００５４】
また、本実施形態によれば、２４時間で１回転の回転速度で回転する表示車４１と、表示車４１とはよりも遅い速度で所定軸Ｃ周りに回転する遊星ディスクユニット５０と、を備え、月の満ち欠けは、表示車４１と、表示車４１の開口部４４を通じて視認される遊星ディスクユニット５０との回転速度差により表示されるので、月の満ち欠けを表示できる小型な表示機構４０とすることができる。
また、遊星機構３０を構成する第一遊星車５１を月以外の部分とし、第二遊星車５２および遊星ディスク５６を月の部分として、ムーンフェイズ表示部Ｍに表示することができる。また、表示車４１の歯数比を調整するだけで、表示車４１の回転速度を所望に設定できるので、日の出および日の入りの情報を表示できる。
したがって、複数の情報を表示できる小型な表示機構４０とすることができる。
【００５５】
また、本実施形態のムーブメント１０および時計１は、上述の表示機構４０を備えているので、斬新かつ小型なムーブメント１０および時計１とすることができる。
【００５６】
（実施形態の変形例）
続いて、実施形態の第一変形例に係る表示機構４０について説明する。
図１４は、実施形態の第一変形例に係る時計の外観図であり、図１５は、実施形態の第一変形例に係る表示車の平面図であり、図１６は、実施形態の第一変形例に係る遊星ディスクユニットの平面図である。
上述の実施形態では、第一遊星車５１が月の影部５０ａとして表示され、遊星ディスク５６および第二遊星車５２が月の輝部５０ｂとして表示され、遊星ディスクユニット５０は、表示車４１よりも遅い速度で回転していた（図５および図６参照）。
これに対して、図１４から図１６に示すように、実施形態の第一変形例では、遊星ディスク５６および第二遊星車５２が月の影部５０ａとして表示され、第一遊星車５１が月の輝部５０ｂとして表示され、遊星ディスクユニット５０は、表示車４１よりも速い速度で回転している点で実施形態とは異なっている。なお、以下では、実施形態と同様の構成については詳細な説明を省略する。
【００５７】
図１４に示すように、文字板４には、中心軸Ｏに対して１２時側の部分に表示領域Ｒが設けられている。表示領域Ｒには、月の満ち欠けを表示するムーンフェイズ表示部Ｍと、日の出および日の入りの情報を表示する情報表示部Ｆと、が設けられている。表示領域Ｒは、文字板４に形成され、円弧部８ａと直線部８ｂとを有する平面視半円形状の文字板開口８の領域とされる。
【００５８】
図１５に示すように、表示ディスク部４２は、平面視で円形状に形成された板状部材である。
表示ディスク部４２の中心よりも径方向の一方側には、開口部４４が設けられている。本実施形態の開口部４４は、表示ディスク部４２の周縁に沿うように設けられた弧状部４４ａと、所定軸Ｃを挟んで径方向の両側に設けられ、弧状部４４ａに向かって隆起した一対の隆起部４４ｂとにより平面視で略扇形状に形成されている。一対の隆起部４４ｂは、月の影部４４ｃとして例えば黒色の塗装が施されている（図１５において、斜線ハッチングで図示）。表示車４１に形成された開口部４４内の領域は、月の満ち欠けを表示するムーンフェイズ表示部Ｍとなっている。
【００５９】
図１６に示すように、遊星ディスクユニット５０は、遊星ディスク５６と、第一遊星車５１と、第二遊星車５２と、第三遊星車５３と、を有している。
遊星ディスクユニット５０の裏側面は、表示車４１の開口部４４（図１５参照）を通じて、ムーンフェイズ表示部Ｍとして使用者により視認可能となっている。
遊星ディスク５６および第二遊星車５２の裏側面には、月の影部５０ａとして例えば黒色の塗装が施されている（図１６において、斜線ハッチングで図示）。また、第一遊星車５１の裏側面には、月の輝部５０ｂとして例えば黄色の塗装が施されている（図１６において、ドットハッチングで図示）。
【００６０】
ここで、本変形例において、表示車４１の内歯部４１ａ、第一遊星車５１の歯部５１ａ、第二遊星車５２の歯部５２ａ、第三遊星車５３の歯部５３ａおよび太陽車４６の内歯４６ａの各車の歯数比は、表示車４１の回転速度をＮａとし、遊星ディスクユニット５０の回転速度をＮｂとし、月の輝部５０ｂの数をｎ（ｎは１以上の整数）とし、月の満ち欠けの周期（日）をＴとしたとき、
Ｎａ：Ｎｂ＝１：１＋１／ｎＴ・・・（２）
の関係を満足するように設定される。
本変形例において、表示車４１の回転速度は、２４時間で１回転となっている。また、月の輝部５０ｂの数ｎ＝２となっている。また、月齢とは、新月から次の新月になるまでの経過時間を日単位として表したものをいい、月の満ち欠けの周期Ｔは、一般にＴ≒２９．５３日となっている。
（２）式を満足することにより、表示車４１が２４時間で１回転するのに対して、遊星ディスクユニット５０が１日で１＋１／ｎＴ≒１．０１７回転する。換言すれば、遊星ディスクユニット５０は、表示車４１よりも１日当たり約０．０１７回転だけ速い速度で所定軸Ｃ周りに回転する。
【００６１】
上述のように構成された表示機構４０は、次のように情報表示部Ｆおよびムーンフェイズ表示部Ｍの表示を行う。なお、以下では、情報表示部Ｆについて説明を行った後、ムーンフェイズ表示部Ｍの説明を行う。
まず、情報表示部Ｆについて説明する。以下では、分かりやすくするために、月齢１４日において時間が経過したときの情報表示部Ｆについて説明する。
図１７は、月齢１４日の０時における情報表示部の説明図であり、図１８は、月齢１４日の６時における情報表示部の説明図であり、図１９は、月齢１４日の１２時における情報表示部の説明図であり、図２０は、月齢１４日の１８時における情報表示部の説明図である。
図１７に示すように、月齢１４日の０時において、情報表示部Ｆのうち表示車４１の開口部４４は、文字板開口８から露出している。
【００６２】
また、月齢１４日の０時において、月の輝部５０ｂを表す第一遊星車５１は、表示車４１の開口部４４から全体が露出している。なお、ムーンフェイズ表示部Ｍは、開口部４４から第一遊星車５１の全体が露出することにより、月全体が輝くいわゆる満月の状態を表示している。
また、太陽デザイン部４５は、文字板４の背面に隠れている。
これにより、表示領域Ｒにおいて、情報表示部Ｆは、深夜であることを表示することができる。
【００６３】
次いで、時間の経過にともない、表示車４１および遊星ディスクユニット５０は、ＣＷ方向に回転する。これにより、情報表示部Ｆのうち表示車４１の開口部４４および月の輝部５０ｂを表す第一遊星車５１は、時間の経過とともに漸次文字板４の背面に隠れる。また、文字板４の背面に隠れていた太陽デザイン部４５は、時間の経過とともに文字板開口８から漸次露出する。
そして、図１８に示すように、月齢１４日の６時において、表示車４１の開口部４４および月の輝部５０ｂを表す第一遊星車５１は、半分の領域が文字板開口８から露出するとともに、残り半分の領域が文字板４の背面に隠れる。また、太陽デザイン部４５は、大部分の領域が文字板開口８から露出する。これにより、表示領域Ｒにおいて、情報表示部Ｆは、日の出を表示することができる。
【００６４】
次いで、時間の経過にともない、表示車４１および遊星ディスクユニット５０は、ＣＷ方向にさらに回転する。これにより、図１９に示すように、月齢１４日の１２時において、表示車４１の開口部４４および月の輝部５０ｂを表す第一遊星車５１は、全体が文字板４の背面に隠れる。また、太陽デザイン部４５は、全体が文字板開口８から露出する。これにより、表示領域Ｒにおいて、情報表示部Ｆは、日中であることを表示することができる。
【００６５】
次いで、時間の経過にともない、表示車４１および遊星ディスクユニット５０は、ＣＷ方向にさらに回転する。これにより、情報表示部Ｆのうち太陽デザイン部４５は、時間の経過とともに漸次文字板４の背面に隠れる。また、文字板４の背面に隠れていた表示車４１の開口部４４および月の輝部５０ｂを表す第一遊星車５１は、時間の経過とともに文字板開口８から漸次露出する。
そして、図２０に示すように、月齢１４日の１８時において、表示車４１の開口部４４および月の輝部５０ｂを表す第一遊星車５１は、半分の領域が文字板４の背面に隠れるとともに、残り半分の領域が文字板開口８から露出する。また、太陽デザイン部４５は、大部分の領域が文字板開口８の背面に隠れる。これにより、表示領域Ｒにおいて、情報表示部Ｆは、日の入りを表示することができる。
このように、表示領域Ｒにおいて、情報表示部Ｆは、内側がムーンフェイズ表示部Ｍとなる開口部４４の回転に対応して、時に関する情報である日の出と日の入りの情報を表示することができる。
【００６６】
次いで、ムーンフェイズ表示部Ｍについて説明する。以下では、分かりやすくするために、時刻０時において月齢が経過したときのムーンフェイズ表示部Ｍについて説明する。なお、同時刻において、表示車４１の開口部４４の位置は、月齢に関わらず同じ位置となる。すなわち、時刻０時において、表示車４１の開口部４４は、月齢に関わらず全体が文字板開口８から露出した状態となっている。
【００６７】
図２１は、月齢０日の０時におけるムーンフェイズ表示部の説明図であり、図２２は、月齢７日の０時におけるムーンフェイズ表示部の説明図であり、図２３は、月齢１４日の０時におけるムーンフェイズ表示部の説明図であり、図２４は、月齢２１日の０時におけるムーンフェイズ表示部の説明図である。
図２１に示すように、月齢０日の０時において、隆起部４４ｂの外縁の位置と、月の輝部５０ｂを表す第一遊星車５１の外縁の位置とが一致している。開口部４４内のムーンフェイズ表示部Ｍからは、月の影部５０ａを表す遊星ディスク５６および第二遊星車５２が露出している。これにより、表示領域Ｒにおいて、ムーンフェイズ表示部Ｍは、月が全く視認できないいわゆる新月の状態を表示することができる。
【００６８】
次いで、月齢の経過にともない、表示車４１および遊星ディスクユニット５０は、ＣＷ方向に回転する。ここで、遊星ディスクユニット５０は、表示車４１よりも１日当たり約０．０１７回転だけ速い速度で回転する。このため、月の輝部５０ｂを表す第一遊星車５１は、表示車４１に対する遊星ディスクユニット５０の回転の進みにより、月齢の経過にともなって隆起部４４ｂとの位置ずれ量が大きくなる。
そして、図２２に示すように、月齢７日の０時において、月の輝部５０ｂを表す第一遊星車５１は、表示車４１に対する遊星ディスクユニット５０の回転の進みにより、隆起部４４ｂに対してＣＷ方向に所定角度だけずれた位置に配置される。このとき、開口部４４内のムーンフェイズ表示部Ｍからは、月の輝部５０ｂを表す第一遊星車５１が一部露出する。これにより、表示領域Ｒにおいて、ムーンフェイズ表示部Ｍは、月の左側の一部が欠けた状態を表示することができる。
【００６９】
次いで、月齢の経過にともない、表示車４１および遊星ディスクユニット５０は、ＣＷ方向にさらに回転する。
そして、図２３に示すように、月齢１４日の０時において、月の輝部５０ｂを表す第一遊星車５１は、表示車４１に対する遊星ディスクユニット５０の回転の進みにより、開口部４４に対してＣＷ方向に所定角度だけさらにずれた位置に配置される。このとき、月の輝部５０ｂを表す第一遊星車５１は、全体が開口部４４内のムーンフェイズ表示部Ｍから露出する。これにより、表示領域Ｒにおいて、ムーンフェイズ表示部Ｍは、月全体が輝くいわゆる満月の状態を表示することができる。
【００７０】
次いで、月齢の経過にともない、表示車４１および遊星ディスクユニット５０は、ＣＷ方向にさらに回転する。
そして、図２４に示すように、月齢２１日の０時において、月の輝部５０ｂを表す第一遊星車５１は、表示車４１に対する遊星ディスクユニット５０の回転の進みにより、開口部４４に対してＣＷ方向に所定角度だけさらにずれた位置に配置される。このとき、開口部４４内のムーンフェイズ表示部Ｍからは、月の輝部５０ｂを表す第一遊星車５１が一部露出する。これにより、表示領域Ｒにおいて、ムーンフェイズ表示部Ｍは、月の右側の一部が欠けた状態を表示することができる。
【００７１】
実施形態の第一変形例によれば、遊星機構３０を構成する第一遊星車５１を月として、ムーンフェイズ表示部Ｍに表示することができる。また、第一遊星車５１を月として表示させたときには、遊星機構３０を構成する各遊星車の歯数比を調整することで第一遊星車５１の大きさ、すなわちムーンフェイズ表示部Ｍに対する月の大きさを所望に設定できる。さらに、表示車４１の歯数比を調整するだけで、表示車４１の回転速度を所望に設定できるので、時に関する情報として日の出および日の入りの情報を表示できる。
したがって、複数の情報を表示できる小型な表示機構４０とすることができる。
【００７２】
なお、本発明は、図面を参照して説明した上述の実施形態に限定されるものではなく、その技術的範囲において様々な変形例が考えられる。
【００７３】
図２５から図２８は、実施形態の第二から第五変形例に係る表示機構の説明図である。
上述の実施形態および実施形態の変形例において、情報表示部Ｆは、文字板開口８の内側に設けられており、時に関する情報として日の出および日の入りの情報を表示していたが、情報表示部Ｆの態様は実施形態および実施形態の変形例に限定されない。
【００７４】
（実施形態の第二変形例）
図２５に示す実施形態の第二変形例に係る表示機構４０のように、文字板開口８の内側に情報表示部Ｆを設けるとともに、時に関する情報として月の出および月の入りの情報を表示してもよい。
ここで、月の出および月の入りの周期は、２４．８３時間に１回の周期で発生する。したがって、表示車４１は、２４．８３時間で１回転の回転速度で回転するように設定される。これにより、情報表示部Ｆは、時に関する情報として月の出および月の入りの情報を表示することができる。
【００７５】
（実施形態の第三変形例）
図２６に示す実施形態の第三変形例に係る表示機構４０のように、文字板開口８の外側に情報表示部Ｆを設けるとともに、時に関する情報として時刻を表示してもよい。
文字板開口８は、所定軸Ｃを中心とする円形状となっている。
情報表示部Ｆは、文字板開口８の外側において、所定軸Ｃを中心とする環状に設けられている。情報表示部Ｆには、時刻を表す１から２４の数字が、周方向に沿ってＣＣＷ方向にこの順に配列されている。
情報指針２５は、所定軸Ｃを中心として回転可能に支持されている。情報指針２５は、表示車４１に連結されており、２４時間で１回転の回転速度で回転する。情報指針２５の先端は、時刻を表す１から２４の数字を指示する。これにより、情報表示部Ｆは、時に関する情報として時刻の情報を表示することができる。
【００７６】
（実施形態の第四変形例）
また、図２７に示す実施形態の第四変形例に係る表示機構４０のように、文字板開口８の外側に情報表示部Ｆを設けるとともに、時に関する情報として潮汐の情報を表示してもよい。
文字板開口８は、所定軸Ｃを中心とする円形状となっている。
情報表示部Ｆは、文字板開口８の外側において、所定軸Ｃを中心とする環状に設けられている。情報表示部Ｆには、潮汐の情報として満潮を示す文字Ｈ．Ｗ（Ｈｉｇｈ  Ｗａｔｅｒ）と、干潮を示す文字Ｌ．Ｗ（Ｌｏｗ  Ｗａｔｅｒ）と、が周方向に沿って交互に配列されている。満潮を示す文字Ｈ．Ｗは、所定軸Ｃを中心として、６時および１２時の位置に設けられている。また、干潮を示す文字Ｌ．Ｗは、所定軸Ｃを中心として、３時および９時の位置に配置されている。
情報指針２５は、所定軸Ｃを中心として回転可能に支持されている。情報指針２５は、表示車４１に連結されている。干潮および満潮は、２４．８３時間にそれぞれ２回の周期で発生する。したがって、情報指針２５および表示車４１は、干潮および満潮がそれぞれ２回ずつ発生するときの周期に対応して、２４．８３時間で１回転の回転速度で回転するように設定される。情報指針２５の先端は、満潮を示す文字Ｈ．Ｗおよび干潮を示す文字Ｌ．Ｗを指示する。これにより、情報表示部Ｆは、時に関する情報として潮汐の情報を表示することができる。
【００７７】
（実施形態の第五変形例）
また、図２８に示す実施形態の第五変形例に係る表示機構４０のように、文字板開口８の外側に情報表示部Ｆを設けるとともに、時に関する情報として曜日の情報を表示してもよい。
文字板開口８は、所定軸Ｃを中心とする円形状となっている。
情報表示部Ｆは、文字板開口８の外側において、所定軸Ｃを中心とする環状に設けられている。情報表示部Ｆには、曜日を表すＳ（日曜日）、Ｍ（月曜日）、Ｔ（火曜日）、Ｗ（水曜日）、Ｔ（木曜日）、Ｆ（金曜日）、Ｓ（土曜日）の文字が、周方向に沿ってＣＣＷ方向にこの順に配列されている。
情報指針２５は、所定軸Ｃを中心として回転可能に支持されている。情報指針２５および表示車４１は、一週間（すなわち１６８時間）で１回転の回転速度で回転するように設定されている。情報指針２５の先端は、曜日を表すＳ（日曜日）、Ｍ（月曜日）、Ｔ（火曜日）、Ｗ（水曜日）、Ｔ（木曜日）、Ｆ（金曜日）、Ｓ（土曜日）の各文字を指示する。これにより、情報表示部Ｆは、時に関する情報として曜日の情報を表示することができる。
【００７８】
その他、本発明の趣旨を逸脱しない範囲で、上記した実施の形態における構成要素を周知の構成要素に置き換えることは適宜可能である。
【符号の説明】
【００７９】
１・・・時計  １０・・・ムーブメント  ２・・・  ３０・・・遊星機構  ４０・・・表示機構  ４１・・・表示車  ４４・・・開口部  ４６・・・太陽車  ５０・・・遊星ディスクユニット  ５１・・・第一遊星車  ５２・・・第二遊星車  ５３・・・第三遊星車  ５６・・・遊星ディスク  Ｃ・・・所定軸  Ｆ・・・情報表示部  Ｍ・・・ムーンフェイズ表示部
【図１】
2016176713.tif 000003
【図２】
2016176713.tif 000004
【図３】
2016176713.tif 000005
【図４】
2016176713.tif 000006
【図５】
2016176713.tif 000007
【図６】
2016176713.tif 000008
【図７】
2016176713.tif 000009
【図８】
2016176713.tif 000010
【図９】
2016176713.tif 000011
【図１０】
2016176713.tif 000012
【図１１】
2016176713.tif 000013
【図１２】
2016176713.tif 000014
【図１３】
2016176713.tif 000015
【図１４】
2016176713.tif 000016
【図１５】
2016176713.tif 000017
【図１６】
2016176713.tif 000018
【図１７】
2016176713.tif 000019
【図１８】
2016176713.tif 000020
【図１９】
2016176713.tif 000021
【図２０】
2016176713.tif 000022
【図２１】
2016176713.tif 000023
【図２２】
2016176713.tif 000024
【図２３】
2016176713.tif 000025
【図２４】
2016176713.tif 000026
【図２５】
2016176713.tif 000027
【図２６】
2016176713.tif 000028
【図２７】
2016176713.tif 000029
【図２８】
2016176713.tif 000030